(57)【要約】    【課題】高変倍比でありながらコンパクトで高画質の画像が得られるズームレンズを得ること。    【解決手段】  物体側より像側へ順に、正の屈折力の第１レンズ群、第２レンズ群、正の屈折力の第３レンズ群、負の屈折力の第４レンズ群を有し、広角端に比べ望遠端での該第１レンズ群と第２レンズ群の間隔が大きく、該第３レンズ群と第４レンズ群の間隔が小さくなるように各レンズ群が移動するズームレンズであって、該第２レンズ群は、正レンズと負レンズより成り、広角端におけるレンズ全系の焦点距離をＦｗ、該第４レンズ群の焦点距離をＦ４、広角端における該第４レンズ群の横倍率をβ４ｗとするとき、      ０．３    ＜  ｜Ｆ４／Ｆｗ｜  ＜  ０．７      １．１    ＜      β４ｗ      ＜  ２なる条件を満足することを特徴としている。【選択図】  図１
2006162688.tif 000002
【特許請求の範囲】
【請求項１】
物体側より像側へ順に、正の屈折力の第１レンズ群、第２レンズ群、正の屈折力の第３レンズ群、負の屈折力の第４レンズ群を有し、広角端に比べ望遠端での該第１レンズ群と第２レンズ群の間隔が大きく、該第３レンズ群と第４レンズ群の間隔が小さくなるように各レンズ群が移動するズームレンズであって、該第２レンズ群は、正レンズと負レンズより成り、広角端におけるレンズ全系の焦点距離をＦｗ、該第４レンズ群の焦点距離をＦ４、広角端における該第４レンズ群の横倍率をβ４ｗとするとき、
０．３    ＜  ｜Ｆ４／Ｆｗ｜  ＜  ０．７
１．１    ＜      β４ｗ      ＜  ２
なる条件を満足することを特徴とするズームレンズ。
【請求項２】
物体側より像側へ順に、前記第３レンズ群は、その中で最も広い空気間隔を境に、負の屈折力の第３Ａレンズ群と正の屈折力の第３Ｂレンズ群より成り、該第３Ｂレンズ群は、単一の正レンズより成り、広角端における該第２レンズ群と第３Ａレンズ群の合成焦点距離をＦ２３Ａｗ、該第３Ｂレンズ群の焦点距離をＦ３Ｂとするとき、
−０．７  ＜    Ｆ３Ｂ／Ｆ２３Ａｗ    ＜  −０．１５
Ｆ２３Ａｗ  ＜  ０
なる条件を満足することを特徴とする請求項１のズームレンズ。
【請求項３】
前記第１レンズ群の焦点距離をＦ１、広角端における第２レンズ群と第３レンズ群の合成焦点距離をＦ２３ｗとするとき、
１＜  Ｆ１／Ｆｗ＜  ２．２
０．６＜  Ｆ２３ｗ／Ｆｗ＜  １．２
なる条件を満足することを特徴とする請求項１又は２のズームレンズ。
【請求項４】
前記第２レンズ群の正レンズと負レンズは接合レンズより成ることを特徴とする請求項１、２又は３のズームレンズ。
【請求項５】
物体側より像側へ順に、前記第３レンズ群は、その中で最も広い空気間隔を境に、負の屈折力の第３Ａレンズ群と正の屈折力の第３Ｂレンズ群より成り、該第３Ａレンズ群は正レンズと負レンズの接合レンズより成ることを特徴とする請求項１〜４のいずれか１項のズームレンズ。
【請求項６】
前記、第１、第４レンズ群はズーミングに際して一体に光軸上を移動することを特徴とする請求項１から５のいずれか１項のズームレンズ。
【請求項７】
物体側より像側へ順に、前記第３レンズ群は、その中で最も広い空気間隔を境に、負の屈折力の第３Ａレンズ群と正の屈折力の第３Ｂレンズ群より成り、該第３Ａレンズ群と第３Ｂレンズ群との間に虹彩絞りが配置されたことを特徴とする請求項１から６のいずれか１項のズームレンズ。
【請求項８】
無限遠物体に合焦しているときの望遠端において、最も物体側のレンズ面から最も像面側のレンズ面までの距離をＴＤ、望遠端において最も物体側のレンズ面から近軸結像位置までの距離をＯＴＬ、望遠端におけるレンズ全系の焦点距離をＦｔとするとき、
０．５５  ＜  ＯＴＬ／Ｆｔ  ＜  ０．９
０．２    ＜  ＴＤ／ＯＴＬ  ＜  ０．４
なる条件を満足することを特徴とする請求項１から７のいずれか１項のズームレンズ。
【請求項９】
前記第４レンズ群を構成する負レンズの材料の屈折率をＮ４ｄ、アッベ数をν４ｄとするとき、
Ｎ４ｄ＜１．７５
５０＜ν４ｄ
なる条件を満足することを特徴とする請求項１〜８のいずれか１項のズームレンズ。
【請求項１０】
請求項１から９のいずれか１項のズームレンズを有することを特徴とする撮像装置。
【発明の詳細な説明】
【技術分野】
【０００１】
本発明はズームレンズに関し、例えばレンズシャッター方式の小型の銀塩フィルム用カメラ等に好適なものである。
【背景技術】
【０００２】
近年、撮像装置の小型化に伴って、そこに搭載される撮影光学系にも光学性能を高く維持したままで小型化を果たした撮影光学系が要求されている。
また、より広範囲な撮影条件に対応するために、撮影光学系として高変倍（高ズーム比）のズームレンズであることが望まれている。
一般にズームレンズの小型化を進め、且つ高い変倍比を持たせるためにはズームレンズを構成する各レンズ群の屈折力や各レンズ群のレンズ構成を適切に設定することが重要になってくる。
【０００３】
ズームレンズの小型化を図る手段としては、正の屈折力のレンズ群が先行する所謂ポジティブリード型を用いることが多い。この形式の大きな特長はバックフォーカスを短くすることができることであり、特に一眼レフレックスカメラの様にクイックリターンミラーの配置スペースを必要としないレンズシャッターカメラ等では、レンズ全長を短くできる利点がある。
【０００４】
高変倍を達成する為に、近年では４つのレンズ群より成る４群構成のズームタイプが多く用いられている。このような４群構成のズームレンズは望遠端での焦点距離に対する光学全長の比、所謂テレ比を小さくすることが可能であり、レンズ沈胴長の短縮、即ちカメラの薄型化に有利である。
【０００５】
４群構成のズームレンズとして物体側より像側へ順に、正、負、正、負の屈折力のレンズ群より成るズームレンズが知られている（特許文献１〜３）。
【０００６】
又、このような４群構成でズーム比が３倍程度のズームレンズが知られている（特許文献４）。
【０００７】
又、ズーム比が３．８倍程度のズームレンズが知られている（特許文献５）。
【特許文献１】特開平６−２２２２６７号公報
【特許文献２】特開平８−１２２６４０号公報
【特許文献３】特開平９−６１７１７号公報
【特許文献４】特許第２８３２３７６号
【特許文献５】特開平１１−３５２４０１号公報
【発明の開示】
【発明が解決しようとする課題】
【０００８】
特許文献１〜３のズームレンズは、いずれも望遠端の焦点距離の割には光学全長がそれほど短くなく、更なる小型化に検討の余地がある。
【０００９】
また、特許文献４、５のズームレンズは変倍比が３倍又は３．８倍程度であり、更にレンズ構成枚数も多いため、更なる高変倍化においても小型であることが望まれている。
【００１０】
高変倍比でレンズ系全体の小型化を図るには、ズームレンズ構成及びレンズ群配置を適切に行うことが重要である。
【００１１】
本発明は、高変倍（高ズーム比）でありながら、コンパクトで高い光学性能を有するズームレンズ及びそれを有する撮像装置の提供を目的とする。
【課題を解決するための手段】
【００１２】
本発明のズームレンズは、物体側より像側へ順に、正の屈折力の第１レンズ群、第２レンズ群、正の屈折力の第３レンズ群、負の屈折力の第４レンズ群を有し、広角端に比べ望遠端での該第１レンズ群と第２レンズ群の間隔が大きく、該第３レンズ群と第４レンズ群の間隔が小さくなるように各レンズ群が移動するズームレンズであって、該第２レンズ群は、正レンズと負レンズより成り、広角端におけるレンズ全系の焦点距離をＦｗ、該第４レンズ群の焦点距離をＦ４、広角端における該第４レンズ群の横倍率をβ４ｗとするとき、
０．３    ＜  ｜Ｆ４／Ｆｗ｜  ＜  ０．７
１．１    ＜      β４ｗ      ＜  ２
なる条件を満足することを特徴としている。
【発明の効果】
【００１３】
本発明によれば、高変倍比でありながらコンパクトで高画質の画像が得られるズームレンズが得られる。
【発明を実施するための最良の形態】
【００１４】
【実施例１】
【００１５】
以下、本発明のズームレンズ及びそれを有する撮像装置の実施例について説明する。
【００１６】
図１は本発明の実施例１のズームレンズの広角端（短焦点距離）におけるレンズ断面図、図２は本発明の実施例１のズームレンズの広角端、中間のズーム位置、望遠端（長焦点距離）におけるレンズ断面図、図３〜図５は、本発明の実施例１の広角端、中間のズーム位置、望遠端における収差図である。
【００１７】
図６は本発明の実施例２のズームレンズの広角端（短焦点距離）におけるレンズ断面図、図７は本発明の実施例２のズームレンズの広角端、中間のズーム位置、望遠端（長焦点距離）におけるレンズ断面図、図８〜図１０は、本発明の実施例２の広角端、中間のズーム位置、望遠端における収差図である。
【００１８】
図１１は本発明の実施例３のズームレンズの広角端（短焦点距離）におけるレンズ断面図、図１２は本発明の実施例３のズームレンズの広角端、中間のズーム位置、望遠端（長焦点距離）におけるレンズ断面図、図１３〜図１５は、本発明の実施例３の広角端、中間のズーム位置、望遠端における収差図である。
【００１９】
図１６は本発明の実施例４のズームレンズの広角端（短焦点距離）におけるレンズ断面図、図１７は本発明の実施例４のズームレンズの広角端、中間のズーム位置、望遠端（長焦点距離）におけるレンズ断面図、図１８〜図２０は、本発明の実施例４の広角端、中間のズーム位置、望遠端における収差図である。
【００２０】
図２１は本発明の実施例５のズームレンズの広角端（短焦点距離）におけるレンズ断面図、図２２は本発明の実施例５のズームレンズの広角端、中間のズーム位置、望遠端（長焦点距離）におけるレンズ断面図、図２３〜図２５は、本発明の実施例５の広角端、中間のズーム位置、望遠端における収差図である。
【００２１】
図２６は本発明の実施例６のズームレンズの広角端（短焦点距離）におけるレンズ断面図、図２７は本発明の実施例６のズームレンズの広角端、中間のズーム位置、望遠端（長焦点距離）におけるレンズ断面図、図２８〜図３０は、本発明の実施例６の広角端、中間のズーム位置、望遠端における収差図である。
【００２２】
図３１は本発明の実施例７のズームレンズの広角端（短焦点距離）におけるレンズ断面図、図３２は本発明の実施例７のズームレンズの広角端、中間のズーム位置、望遠端（長焦点距離）におけるレンズ断面図、図３３〜図３５は、本発明の実施例７の広角端、中間のズーム位置、望遠端における収差図である。
【００２３】
図３６は本発明のズームレンズを備えるカメラ（撮像装置）の要部概略図である。各実施例のズームレンズはレンズシャッター方式の銀塩フィルムカメラ等の撮像装置に用いられる撮影レンズ系であり、レンズ断面図において、左方が被写体側（前方）で、右方が像側（後方）である。レンズ断面図において、Ｂ１は正の屈折力（光学的パワー＝焦点距離の逆数）の第１レンズ群、Ｂ２は負の屈折力の第２レンズ群、Ｂ３は正の屈折力の第３レンズ群、Ｂ４は負の屈折力の第４レンズ群である。
【００２４】
第３レンズ群Ｂ３は、その中で最も広い空気間隔を境に、負の屈折力の第３Ａレンズ群Ｂ３Ａと、正の屈折力の第３Ｂレンズ群Ｂ３Ｂより成っている。
【００２５】
ＳＰは開口絞りであり、各実施例では第３レンズ群Ｂ３中に位置しており、ズーミングに際して第３レンズ群Ｂ３と共に移動する。
【００２６】
ＩＰは像面であり、フィルム面に相当する。
【００２７】
収差図において、ｄ，ｇは各々ｄ線及びｇ線、Ｓ．Ｃは正弦条件、ΔＭ，ΔＳは各々メリディオナル像面，サジタル像面である。倍率色収差はｇ線によって表わしている。ωは半画角である。
【００２８】
尚、以下の各実施例において広角端と望遠端のズーム位置は、変倍用レンズ群が機構上、光軸上を移動可能な範囲の両端に位置したときのズーム位置をいう。
【００２９】
各実施例では、広角端から望遠端へのズーミングに際して矢印のように、各レンズ群Ｂ１〜Ｂ４を物体側へ移動している。
【００３０】
各実施例では、広角端に比べ望遠端で第１レンズ群Ｌ１と第２レンズ群Ｌ２の間隔が大きく、第３レンズ群Ｌ３と第４レンズ群Ｌ４の間隔が小さくなるように各レンズ群が移動している。このようなレンズ構成とすることで、非使用時（非撮影時）にレンズ鏡筒を沈胴させるレンズシャッターカメラ等に適したコンパクトなズームレンズを実現している。このとき、実施例に挙げたように第１レンズ群Ｌ１と第４レンズ群Ｌ４をズーミングに際して一体で移動しても良い。これによれば、ズーム機構の簡素化が図れて鏡筒部品の製造が容易になる。
【００３１】
無限遠物体から近距離物体へのフォーカスは、第３レンズ群Ｂ３を移動させて行っているが全てのレンズ群を一体的に物体側へ移動させて行っても良い。この他、例えば第３レンズ群Ｂ３を、他のレンズ群と異なる移動量で移動させるフローティング方式を採用しても良い。
【００３２】
各実施例においては、光学系の小型化及び高ズーム化を行った際の第１レンズ群Ｂ１から発生する広角端における軸外のコマ収差と望遠端における高次の球面収差の補正を第２レンズ群Ｂ２にて行い、特に第２レンズ群Ｂ２を正レンズと負レンズより構成するダブレット構成として補正している。
【００３３】
又、第１レンズ群Ｂ１と、第３レンズ群Ｂ３とはズーミングに際して別個に光軸上移動させることによりズーム域全体で良好な色収差補正を容易としている。
【００３４】
その際、第２レンズ群Ｂ２を負レンズと正レンズを接合レンズとすると、負レンズと正レンズの近接面で発生する高次収差の影響が無くせるので良い。
【００３５】
また第３Ａレンズ群Ｂ３Ａを負の屈折力とすることで第１レンズ群Ｂ１で発生する強い負の球面収差をキャンセルしている。
【００３６】
尚第３Ａレンズ群Ｂ３Ａを物体側より像側へ順に正レンズと負レンズの接合レンズとするのが良く、これによればより色収差と球面収差の補正をバランス良く行なうことができる。
【００３７】
この際、更に望ましくは第３Ａレンズ群Ｂ３Ａの最も物体側のレンズ面を凹形状とするのが、高次の球面収差を良好に補正することに対し効果的である。
【００３８】
又、第３Ａレンズ群Ｂ３Ａを物体側の面が凹形状の単一の負レンズより構成しても、高次の球面収差を良好に補正することができる。
【００３９】
第１レンズ群Ｂ１は、物体側より像側へ順に、像側の面が凸でメニスカス形状の負レンズ、物体側の面が凸形状の正レンズ２枚より構成している。
【００４０】
それにより負レンズの物体側の凹面で発生する広角端におけるディストーションと望遠端にて発生する正の球面収差を正レンズの物体側の凸面にてキャンセルさせ、収差補正を良好に行っている。
【００４１】
虹彩絞りＳＰは第３Ａレンズ群Ｂ３Ａと第３Ｂレンズ群Ｂ３Ｂの間に配置している。
それにより第１レンズ群Ｂ１の有効径と第４レンズ群Ｂ４の有効径の大きさのバランスが取りやすくなり、鏡筒径の大きさを抑えることが容易になる。また同時に高次の軸外収差をバランスよく補正することが容易になる。
【００４２】
但し、小絞り時に軸外の光線ケラレが生じなければ、開口絞りＳＰはレンズ群間中のどの空気間隔中に配置しても良い。
【００４３】
尚、虹彩絞りＳＰは、ズーミングに際して、各レンズ群とは独立して光軸上を移動させるのが理想的な入射瞳位置を得るのに好ましいが、メカ機構の簡略化のために第３レンズ群Ｂ３と一体に移動させるのが良い。
【００４４】
光学性能の向上のためレンズ系に更なる非球面の導入や回折光学素子、屈折分布型光学材料を導入しても良い。
【００４５】
また、レンズ群やレンズ群の一部を偏心させることにより手ぶれ等が原因となる像位置変位を補正する作用を持たせても良い。
【００４６】
また、第１レンズ群Ｂ１の物体側又は／及び第４レンズ群Ｂ４の像側に屈折力の弱いレンズ群（例えばアフォーカルコンバーターレンズ）を配置しても良い。
【００４７】
以上のような構成とすることで各実施例のズームレンズは、高ズーム比でありながらコンパクトな光学系を達成している。さらに以下の条件式の１以上を満足するようにして各条件式に対応した効果を得ている。
【００４８】
広角端と望遠端におけるレンズ全系の焦点距離を各々Ｆｗ，Ｆｔ、第１レンズ群Ｂ１と第４レンズ群Ｂ４の焦点距離を各々Ｆ１，Ｆ４、第４レンズ群Ｂ４の広角端における横倍率をβ４ｗ、広角端における第２レンズ群Ｂ２と第３Ａレンズ群Ｂ３Ａの合成焦点距離をＦ２３Ａｗ、第３Ｂレンズ群Ｂ３Ｂの焦点距離をＦ３Ｂ、広角端における第２レンズ群Ｂ２と第３レンズ群Ｂ３の合成焦点距離をＦ２３ｗ、無限遠物体に合焦しているときの望遠端において最も物体側のレンズ面から最も像面側のレンズ面の距離（レンズ長）をＴＤ、望遠端において、最も物体側のレンズ面から近軸結像位置までの距離をＯＴＬ、第４レンズ群Ｂ４を構成する負レンズの材料のｄ線における屈折率をＮ４ｄ、アッベ数をν４ｄとするとき、
０．３５  ＜  ｜Ｆ４／Ｆｗ｜  ＜  ０．７        ・・・（１）
１．１  ＜  β４ｗ  ＜  ２                      ・・・（２）
−０．７  ＜  Ｆ３Ｂ／Ｆ２３Ａｗ  ＜  −０．１５・・・（３）
但し、Ｆ２３Ａｗ  ＜  ０
１  ＜  Ｆ１／Ｆｗ  ＜  ２．２                  ・・・（４）
０．６  ＜  Ｆ２３ｗ／Ｆｗ  ＜  １．２          ・・・（５）
０．５５  ＜  ＯＴＬ／Ｆｔ  ＜  ０．９          ・・・（６）
０．２  ＜  ＴＤ／ＯＴＬ  ＜  ０．４            ・・・（７）
Ｎ４ｄ  ＜  １．７５                            ・・・（８）
５０  ＜  ν４ｄ                                ・・・（９）
なる条件の１以上を満足している。
【００４９】
条件式（１）、（２）は、広角端における第４レンズ群Ｂ４の屈折力に関するものである。
【００５０】
条件式（１）の上限値を越えて第４レンズ群Ｂ４の負の屈折力が弱くなるか、条件式（２）の上限値を越えて第４レンズ群Ｂ４の広角端における横倍率が大きくなりすぎると、ズーミングに際して第４レンズ群Ｂ４による変倍作用が弱くなってくる。このため一定の変倍比を得るために各レンズ群の移動量を大きくしなければならなくなり結果としてレンズ全長が長くなってくる。
【００５１】
他方、条件式（１）、（２）のどちらかが下限値を越えるとレンズ全体としてテレフォト系の作用が強まってくるため、バックフォーカスが短く成りすぎると同時に、一定の周辺光量を確保するために第４レンズ群Ｂ４のレンズ外径が大型化し、それと同時に像面湾曲や非点収差が多く発生してくる。
【００５２】
条件式（３）は、第２レンズ群Ｂ２と第３Ａレンズ群Ｂ３Ａの光学配置特性に関するものであり、広角端における第３Ｂレンズ群Ｂ３Ｂの正レンズＧＢ３Ｂ１の焦点距離に対する第２レンズ群Ｂ２と第３Ａレンズ群Ｂ３Ａの合成焦点距離との屈折力比を表す。
【００５３】
この条件式（３）の上限値を越えると、第３Ｂレンズ群Ｂ３Ｂの屈折力が相対的に大きくなってきて、そこで発生する高次の球面収差やコマ収差を補正することが困難になってくる。
【００５４】
他方、下限値を越えると、広角端において第２レンズ群Ｂ２と第３Ａレンズ群Ｂ３Ａの合成屈折力が弱くなりすぎてくるため、第１レンズ群Ｂ１で発生する軸外の像面湾曲と負の球面収差のバランスを良好に補正することが困難となってくる。
【００５５】
条件式（４）、（５）は、主にズームレンズ系の小型化を達成しつつ高画質化を図る為のものである。
【００５６】
条件式（４）は広角端における第１レンズ群Ｂ１の正の屈折力に関するものである。下限値を越えると、広角端において第１レンズ群Ｂ１の正の合成屈折力が強くなり過ぎレンズ系全体としてテレフォト系の作用が強まってくるため、バックフォーカスが短く成りすぎたり、負の球面が大きく発生してしまいこれを補正することが困難になってくる。
【００５７】
一方、上限値を越えるとレンズ全長の増加を招くとともに広角端の焦点距離を維持するために第３レンズ群Ｂ３の正の屈折力を強くしなければならないためズーム域全域にわたって諸収差をバランス良く補正することが困難になってくる。
【００５８】
条件式（５）は広角端における第２レンズ群Ｂ２と第３レンズ群Ｂ３の合成屈折力に関するものである。
【００５９】
上限値を越えると、第２レンズ群Ｂ２と第３レンズ群Ｂ３の合成屈折力が弱くなりすぎて球面収差の補正が不足してくると同時に一定の広角端の焦点距離を維持するためにレンズ全長が増加してくる。
【００６０】
他方、下限値を越えると、負の球面収差が大きく発生してしまい他のレンズ群でこれを補正することが困難となってくる。
【００６１】
条件式（６）、（７）は、光学系をコンパクトにし、撮影機器に組み込む際に、なるべく小型になるような鏡胴構造を達成する為のものである。
【００６２】
条件式（６）及び（７）は、望遠端における光学系のテレ比とレンズ長の関係を表した式であり、それぞれの式の上限値を越えると鏡胴を短縮させて収納を行なう際に十分なコンパクト性が得られない。
【００６３】
他方、それぞれの式の下限値を越えると各レンズ群の屈折力を強めねばならなくなり、良好な光学性能を達成するのが困難になってくる。
【００６４】
第４レンズ群Ｂ４は、物体側より非球面を有した正レンズＧＢ４１と物体側の面が凹形状の負レンズＧＢ４２で構成して光学系をコンパクトに保ちつつ高画質を得ている。
【００６５】
正レンズＧＢ４１をプラスチィク材として製作を容易にしている。
【００６６】
条件式（８）、（９）は、このときの負レンズＧＢ４２の材料の屈折率Ｎ４ｄとアッベ数ν４ｄを適切に設定し、ズーミングに伴う色収差変動を少なくする為のものである。
【００６７】
特に、条件式（８）、（９）を満足する材料を用いることによって変倍作用の大きい第４レンズ群Ｂ４のズーミングによる色収差変動を抑えている。
【００６８】
尚、正レンズＧＢ４１の面に適用する非球面形状、及びこの他の面に適用する非球面形状は、生産性を考慮したときに使用できる硝種を拡大するために複合型非球面（レプリカ非球面）を用いても良い。
【００６９】
尚、各実施例において、更に好ましくは、条件式（１）〜（９）の数値範囲を次の如く設定するのが良い。
【００７０】
０．４０  ＜  ｜Ｆ４／Ｆｗ｜  ＜  ０．６・・・（１ａ）
１．３  ＜  β４ｗ  ＜  １．８・・・（２ａ）
−０．６５  ＜  Ｆ３Ｂ／Ｆ２３Ａｗ  ＜  −０．２・・・（３ａ）
但し、Ｆ２３Ａｗ＜０
１．２  ＜  Ｆ１／Ｆｗ  ＜  ２．０・・・（４ａ）
０．７  ＜  Ｆ２３ｗ／Ｆｗ  ＜  １．０・・・・（５ａ）
０．６５  ＜  ＯＴＬ／Ｆｔ  ＜  ０．８・・・・（６ａ）
０．２５  ＜  ＴＤ／ＯＴＬ  ＜  ０．３５・・・・（７ａ）
Ｎ４ｄ  ＜  １．７４・・・・（８ａ）
５２  ＜  ν４ｄ・・・・（９ａ）
なる条件を満足している。
【００７１】
次に本発明のズームレンズを撮影光学系として用いたレンズシャッターカメラ（光学機器）の実施例を図３６を用いて説明する。
【００７２】
図３６において、１０はカメラ本体、１１は本発明のズームレンズによって構成された撮影光学系、１２は被写体像を観察するためのファインダーである。
【００７３】
１３はストロボ装置、１４は測定窓、１５はカメラの動作を知らせる液晶表示窓、１６はレリーズボタン、１７は各種のモードを切り替える操作スイッチである。
【００７４】
本発明のズームレンズを本実施例に示したようなレンズシャッターカメラの撮影光学系として適用すれば、小型で高性能なカメラが実現できる。
【００７５】
以上のように、各実施例によれば、各レンズ群のレンズ構成を適切に設定することにより、高ズーム比が容易でしかもズーミングに伴い変動する収差を良好に補正し、全ズーム範囲にわたり良好なる光学性能を有したズームレンズ及びそれを用いた撮像装置を達成することができる。
以下に、実施例１〜７に各々対応する数値実施例１〜７を示す。各数値実施例において、ｉは物体側からの面の順番を示し、rｉは各面の曲率半径、dｉは第ｉ面と第ｉ＋１面との間の部材肉厚又は空気間隔、nｉとνｉはそれぞれｄ線を基準とした屈折率、アッベ数を示す。非球面形状は光軸からの高さｈの位置での光軸方向の変位を面頂点に基準にしてxとするとき、
【００７６】
【数１】
2006162688.tif 000003
【００７７】
で表わされる。但しＲは近軸曲率半径、Ｂ，Ｃ，Ｄ，Ｅ、は各々４次、６次、８次、１０次、非球面係数である。又、「ｅ−Ｘ」は「×１０−Ｘ」を意味している。ｆは焦点距離、ＦＮｏはＦナンバー、ωは半画角を示す。又、前述の各条件式と数値実施例における諸数値との関係を［表−１］に示す。
数値実施例１ 
ｆ＝ 39.13〜 174.73 Ｆｎｏ＝ 5.76 〜 13.18 ２ω＝57.9 〜 14.1
R 1 =   -33.851 D 1 = 0.90 N 1 = 1.805181 ν 1 = 25.4
R 2 =   -53.249 D 2 = 0.15
R 3 =    21.532 D 3 = 2.70 N 2 = 1.487490 ν 2 = 70.2
R 4 =   -95.618 D 4 = 可変
R 5 =   -22.243 D 5 = 0.80 N 3 = 1.800999 ν 3 = 35.0
R 6 =    84.168 D 6 = 1.80 N 4 = 1.846660 ν 4 = 23.8
R 7 =   -28.535 D 7 = 可変
R 8 =   -34.916 D 8 = 2.20 N 5 = 1.516330 ν 5 = 64.1
R 9 =   -10.225 D 9 = 0.80 N 6 = 1.834000 ν 6 = 37.2
R10 =   -31.256 D10 = 1.48
R11 =    絞り   D11 = 1.20
R12 =    60.753 D12 = 3.10 N 7 = 1.519480 ν 7 = 61.8
R13 =   -14.243 D13 = 可変
R14 =   -56.334 D14 = 2.70 N 8 = 1.583060 ν 8 = 30.2
R15 =   -29.802 D15 = 2.73
R16 =   -10.581 D16 = 1.20 N 9 = 1.651597 ν 9 = 58.5
R17 =   220.776
＼焦点距離 39.13 82.68 174.73
可変間隔＼
D 4         2.35 10.00 13.76
D 7         1.02  0.90  1.54
D13        12.75  5.23  0.82
非球面係数
13面 : ｋ=0.00000e+00 Ａ=０ Ｂ=5.72717e-05 Ｃ=2.84551e-07 Ｄ=-9.50949e-09 Ｅ=1.14519e-10
15面 : ｋ=0.00000e+00 Ａ=０ Ｂ=-9.52128e-05 Ｃ=-3.93955e-07 Ｄ=7.34778e-10 Ｅ=-5.70709e-11
数値実施例２ 
ｆ＝ 39.08〜 174.76 Ｆｎｏ＝ 5.76 〜13.18 ２ω＝57.9 〜 14.1
R 1 = -32.489 D 1 = 0.90 N 1 = 1.846660 ν 1 = 23.9
R 2 = -47.759 D 2 = 0.15
R 3 =  22.054 D 3 = 2.70 N 2 = 1.487490 ν 2 = 70.2
R 4 = -92.359 D 4 = 可変
R 5 = -24.841 D 5 = 0.80 N 3 = 1.772499 ν 3 = 49.6
R 6 = 235.686 D 6 = 1.60 N 4 = 1.755199 ν 4 = 27.5
R 7 = -27.374 D 7 = 可変
R 8 = -34.607 D 8 = 2.30 N 5 = 1.518229 ν 5 = 58.9
R 9 =  -9.669 D 9 = 0.80 N 6 = 1.834000 ν 6 = 37.2
R10 = -43.928 D10 = 1.78
R11 =    絞り D11 = 1.20
R12 =  49.790 D12 = 3.10 N 7 = 1.583126 ν 7 = 59.4
R13 = -14.330 D13 = 可変
R14 = -95.746 D14 = 2.80 N 8 = 1.583060 ν 8 = 30.2
R15 = -29.846 D15 = 2.58
R16 = -10.474 D16 = 1.20 N 9 = 1.712995 ν 9 = 53.9
R17 = 216.915
＼焦点距離 39.08 82.64 174.76
可変間隔＼
D 4        3.13  10.44  13.50
D 7        0.98   0.82   1.92
D13       12.15   5.00   0.84
非球面係数
13面 : ｋ=0.00000e+00 Ａ=０ Ｂ=5.43833e-05 Ｃ=3.65425e-07 Ｄ=-9.33234e-09 Ｅ=9.66944e-11
15面 : ｋ=0.00000e+00 Ａ=０ Ｂ=-1.08577e-04 Ｃ=-4.13973e-07 Ｄ=-8.98172e-10 Ｅ=-5.71439e-11
数値実施例３ 
ｆ＝ 39.20〜 174.48 Ｆｎｏ＝ 5.76 〜13.18 ２ω＝57.8 〜 14.1
R 1 =  -35.689 D 1 = 0.90  N 1 = 1.805181 ν 1 = 25.4
R 2 =  -56.236 D 2 = 0.15
R 3 =   21.872 D 3 = 2.70  N 2 = 1.487490 ν 2 = 70.2
R 4 = -106.884 D 4 = 可変
R 5 =  -22.591 D 5 = 0.80  N 3 = 1.800999 ν 3 = 35.0
R 6 =   88.749 D 6 = 1.80  N 4 = 1.846660 ν 4 = 23.8
R 7 =  -27.877 D 7 = 可変
R 8 =  -35.528 D 8 = 2.20  N 5 = 1.516330 ν 5 = 64.1
R 9 =   -9.968 D 9 = 0.80  N 6 = 1.834000 ν 6 = 37.2
R10 =  -31.609 D10 = 1.48
R11 =     絞り D11 = 1.20
R12 =   68.985  D12 = 3.10 N 7 = 1.519480 ν 7 = 61.8
R13 =  -13.819 D13 = 可変
R14 =  -57.289 D14 = 2.70  N 8 = 1.583060  ν 8 = 30.2
R15 =  -30.479 D15 = 2.73
R16 =  -10.654 D16 = 1.20  N 9 = 1.651597  ν 9 = 58.5
R17 =  225.539
＼焦点距離 39.20 82.48 174.48
可変間隔＼
D 4         2.35  9.76  14.21
D 7         1.32  1.32   1.32
D13        12.75   5.34    0.90
非球面係数
13面 : ｋ=1.18363e-07 Ａ=０ Ｂ=5.55010e-05 Ｃ=3.08495e-07 Ｄ=-9.39367e-09 Ｅ=1.14901e-10
15面 : ｋ=-1.60824e-07 Ａ=０ Ｂ=-9.20055e-05 Ｃ=-3.71847e-07 Ｄ=7.86843e-10 Ｅ=-5.77324e-11
数値実施例４ 
ｆ＝ 39.15〜 174.94 Ｆｎｏ＝ 5.76 〜13.60 ２ω＝57.9 〜 14.1
R 1 =  -63.771 D 1 = 0.90 N 1 = 1.846660 ν 1 = 23.8
R 2 = -115.864 D 2 = 0.15
R 3 =   18.211 D 3 = 2.40 N 2 = 1.487490 ν 2 = 70.2
R 4 =   82.119 D 4 = 可変
R 5 = -118.574 D 5 = 1.50 N 3 = 1.805181 ν 3 = 25.4
R 6 =  -39.840 D 6 = 0.80 N 4 = 1.834807 ν 4 = 42.7
R 7 =  -57.201 D 7 = 可変
R 8 =  -14.224 D 8 = 0.80 N 5 = 1.834000 ν 5 = 37.2
R 9 =  -41.325 D 9 = 2.17
R10 =     絞り D10 = 1.20
R11 =   25.178 D11 = 3.00 N 6 = 1.516330 ν 6 = 64.1
R12 =  -15.433 D12 = 可変
R13 = -123.957 D13 = 2.60 N 7 = 1.583060 ν 7 = 30.2
R14 =  -36.063 D14 = 2.31
R15 =  -11.819 D15 = 1.20 N 8 = 1.712995 ν 8 = 53.9
R16 =  511.691
＼焦点距離 39.15 82.66 174.94
可変間隔＼
D 4         2.00 10.15  13.91
D 7         2.01  1.70   2.65
D12        13.09  5.26   0.59
非球面係数
11面 : ｋ=1.15860e+01 Ａ=０ Ｂ=1.79904e-05 Ｃ=2.35770e-06 Ｄ=-4.82302e-08 Ｅ=2.76220e-09
12面 : ｋ=-4.14162e-01 Ａ=０ Ｂ=1.57084e-04 Ｃ=4.27373e-06 Ｄ=-9.03446e-08 Ｅ=4.56037e-09
13面 : ｋ=3.72751e+01 Ａ=０ Ｂ=-2.10313e-05 Ｃ=8.77397e-07 Ｄ=-1.15189e-08 Ｅ=-2.44649e-11
14面 : ｋ=1.68205e+00 Ａ=０ Ｂ=-1.00065e-04 Ｃ=4.16150e-07 Ｄ=-8.04747e-10 Ｅ=-1.25287e-10
数値実施例５ 
ｆ＝ 39.18〜 174.83 Ｆｎｏ＝ 5.76 〜13.60 ２ω＝57.8 〜 14.1
R 1 = -70.593  D 1 = 0.90 N 1 = 1.846660 ν 1 = 23.8
R 2 = -128.524 D 2 = 0.15
R 3 = 18.056   D 3 = 2.40 N 2 = 1.487490 ν 2 = 70.2
R 4 =  72.766  D 4 = 可変
R 5 = -99.500  D 5 = 1.30 N 3 = 1.805181 ν 3 = 25.4
R 6 =  -40.390 D 6 = 0.70 N 4 = 1.834807 ν 4 = 42.7
R 7 =  -53.667 D 7 = 可変
R 8 =  -14.202 D 8 = 0.80 N 5 = 1.834000 ν 5 = 37.2
R 9 =  -40.691 D 9 = 2.16
R10 =    絞り  D10 = 1.20
R11 =   25.132 D11 = 3.00 N 6 = 1.516330 ν 6 = 64.1
R12 =  -15.614 D12 = 可変
R13 = -129.309 D13 = 2.90 N 7 = 1.583060 ν 7 = 30.2
R14 = -34.181  D14 = 2.31
R15 = -11.774  D15 = 1.20 N 8 = 1.712995 ν 8 = 53.9
R16 = 422.631
＼焦点距離 39.18 82.93 174.83
可変間隔＼
D 4         1.97 10.09  14.70
D 7         2.21  2.21   2.21
D12        13.09  4.97   0.36
非球面係数
11面 : ｋ=1.15856e+01 Ａ=０ Ｂ=1.89321e-05 Ｃ=2.35471e-06 Ｄ=-4.82828e-08 Ｅ=2.66760e-09
12面 : ｋ=-4.14522e-01 Ａ=０ Ｂ=1.59175e-04 Ｃ=4.27353e-06 Ｄ=-9.32039e-08 Ｅ=4.56052e-09
13面 : ｋ=3.72751e+01 Ａ=０ Ｂ=-2.09291e-05 Ｃ=8.79812e-07 Ｄ=-1.23836e-08 Ｅ=-1.76404e-11
14面 : ｋ=1.68201e+00 Ａ=０ Ｂ=-1.00645e-04 Ｃ=4.08676e-07 Ｄ=-7.88733e-10 Ｅ=-1.24762e-10
数値実施例６ 
ｆ＝ 38.96〜 194.13 Ｆｎｏ＝ 5.70 〜14.20 ２ω＝58.1 〜 12.7
R 1 =  -23.411 D 1 = 0.90 N 1 = 1.846660 ν 1 = 23.8
R 2 =  -36.310 D 2 = 0.15
R 3 =   25.117 D 3 = 3.25 N 2 = 1.487490 ν 2 = 70.2
R 4 =  -48.265 D 4 = 可変
R 5 =  -32.306 D 5 = 0.80 N 3 = 1.800999 ν 3 = 35.0
R 6 =   30.641 D 6 = 2.30 N 4 = 1.846660 ν 4 = 23.8
R 7 =  -34.085 D 7 = 可変
R 8 =    ∞    D 8 = 3.25 N 5 = 1.487490 ν 5 = 70.2
R 9 =  -10.390 D 9 = 0.80 N 6 = 1.804398 ν 6 = 39.6
R10 = -112.971 D10 = 1.64
R11 =    絞り  D11 = 1.50
R12 =   55.390 D12 = 3.10 N 7 = 1.516330 ν 7 = 64.1
R13 =  -14.486 D13 = 可変
R14 =  477.180 D14 = 3.20 N 8 = 1.583060 ν 8 = 30.2
R15 =  -66.811 D15 = 3.50
R16 =   -9.506 D16 = 1.20 N 9 = 1.729157 ν 9 = 54.7
R17 = -512.801
＼焦点距離 38.96 91.33 194.13
可変間隔＼
D 4         2.00  9.02  11.58
D 7         0.78  0.89   1.73
D13        11.69  4.56   1.16
非球面係数
13面: Ａ=0.00000e+00 Ｂ=4.43468e-05 Ｃ=4.94153e-08 Ｄ=-6.17462e-09 
Ｅ=1.03016e-10
14面: Ａ=0.00000e+00 Ｂ=-2.17878e-05 Ｃ=2.50569e-07 Ｄ=-1.67819e-08
Ｅ=1.82864e-10
15面: Ａ=0.00000e+00 Ｂ=-1.59782e-04 Ｃ=-2.15936e-07 Ｄ=-9.75060e-09
Ｅ=-8.51600e-11
数値実施例７ 
ｆ＝ 39.07〜 179.34 Ｆｎｏ＝ 5.70 〜13.10 ２ω＝57.9 〜 13.8
R 1 =  -26.477 D 1 = 0.90 N 1 = 1.846660 ν 1 = 23.8
R 2 =  -41.010 D 2 = 0.15
R 3 =   23.311 D 3 = 2.80 N 2 = 1.487490 ν 2 = 70.2
R 4 =  -65.704 D 4 = 可変
R 5 =  -44.160 D 5 = 0.80 N 3 = 1.800999 ν 3 = 35.0
R 6 =   29.077 D 6 = 1.90 N 4 = 1.846660 ν 4 = 23.8
R 7 =  -44.060 D 7 = 可変
R 8 =  -87.242 D 8 = 2.70 N 5 = 1.487490 ν 5 = 70.2
R 9 =  -10.402 D 9 = 0.80 N 6 = 1.804398 ν 6 = 39.6
R10 =  -72.937 D10 = 1.65
R11 =     絞り D11 = 1.50
R12 =   53.456 D12 = 3.00 N 7 = 1.516330 ν 7 = 64.1
R13 =  -14.608 D13 = 可変
R14 =  -48.919 D14 = 2.80 N 8 = 1.583060 ν 8 = 30.2
R15 =  -30.296 D15 = 3.30
R16 =   -9.522 D16 = 1.20 N 9 = 1.651597 ν 9 = 58.5
R17 = -188.379
＼焦点距離 39.07 83.71 179.34
可変間隔＼
D 4         1.32  8.71  11.82
D 7         0.79  0.63   1.70
D13        12.88  5.65   1.48
非球面係数
13面 : ｋ=-8.88159e-02 Ａ=０ Ｂ=3.50180e-05 Ｃ=3.52591e-07 Ｄ=-8.52922e-09 Ｅ=1.08380e-10
14面: Ａ=0.00000e+00 Ｂ=-2.53498e-05 Ｃ=8.56753e-07 Ｄ=-1.73161e-08 Ｅ=1.47974e-10
15面: Ａ=0.00000e+00 Ｂ=-1.31458e-04 Ｃ=2.82977e-07 Ｄ=-1.17076e-08 Ｅ=-4.62135e-11
【００７８】
【表１】
2006162688.tif 000004
【図面の簡単な説明】
【００７９】
【図１】実施例１のズームレンズの広角端におけるレンズ断面図
【図２】実施例１のズームレンズの広角端、中間のズーム位置、望遠端におけるレンズ断面図
【図３】実施例１のズームレンズの広角端における諸収差図
【図４】実施例１のズームレンズの中間のズーム位置における諸収差図
【図５】実施例１のズームレンズの望遠端における諸収差図
【図６】実施例２のズームレンズの広角端におけるレンズ断面図
【図７】実施例２のズームレンズの広角端、中間のズーム位置、望遠端におけるレンズ断面図
【図８】実施例２のズームレンズの広角端における諸収差図
【図９】実施例２のズームレンズの中間のズーム位置における諸収差図
【図１０】実施例２のズームレンズの望遠端における諸収差図
【図１１】実施例３のズームレンズの広角端におけるレンズ断面図
【図１２】実施例３のズームレンズの広角端、中間のズーム位置、望遠端におけるレンズ断面図
【図１３】実施例３のズームレンズの広角端における諸収差図
【図１４】実施例３のズームレンズの中間のズーム位置における諸収差図
【図１５】実施例３のズームレンズの望遠端における諸収差図
【図１６】実施例４のズームレンズの広角端におけるレンズ断面図
【図１７】実施例４のズームレンズの広角端、中間のズーム位置、望遠端におけるレンズ断面図
【図１８】実施例４のズームレンズの広角端における諸収差図
【図１９】実施例４のズームレンズの中間のズーム位置における諸収差図
【図２０】実施例４のズームレンズの望遠端における諸収差図
【図２１】実施例５のズームレンズの広角端におけるレンズ断面図
【図２２】実施例５のズームレンズの広角端、中間のズーム位置、望遠端におけるレンズ断面図
【図２３】実施例５のズームレンズの広角端における諸収差図
【図２４】実施例５のズームレンズの中間のズーム位置における諸収差図
【図２５】実施例５のズームレンズの望遠端における諸収差図
【図２６】実施例６のズームレンズの広角端におけるレンズ断面図
【図２７】実施例６のズームレンズの広角端、中間のズーム位置、望遠端におけるレンズ断面図
【図２８】実施例６のズームレンズの広角端における諸収差図
【図２９】実施例６のズームレンズの中間のズーム位置における諸収差図
【図３０】実施例６のズームレンズの望遠端における諸収差図
【図３１】実施例７のズームレンズの広角端におけるレンズ断面図
【図３２】実施例７のズームレンズの広角端、中間のズーム位置、望遠端におけるレンズ断面図
【図３３】実施例７のズームレンズの広角端における諸収差図
【図３４】実施例７のズームレンズの中間のズーム位置における諸収差図
【図３５】実施例７のズームレンズの望遠端における諸収差図
【図３６】本発明の撮像装置の要部概略図
【符号の説明】
【００８０】
Ｂ１    第１レンズ群
Ｂ２    第２レンズ群
Ｂ３    第３レンズ群
Ｂ４    第４レンズ群
Ｂ３Ａ    第３Ａレンズ群
Ｂ３Ｂ    第３Ｂレンズ群
ＳＰ    絞り
ＩＰ    像面
ｄ      ｄ線
ｇ      ｇ線
ΔＭ      メリディオナル像面
ΔＳ      サジタル像面
【図１】
2006162688.tif 000005
【図２】
2006162688.tif 000006
【図３】
2006162688.tif 000007
【図４】
2006162688.tif 000008
【図５】
2006162688.tif 000009
【図６】
2006162688.tif 000010
【図７】
2006162688.tif 000011
【図８】
2006162688.tif 000012
【図９】
2006162688.tif 000013
【図１０】
2006162688.tif 000014
【図１１】
2006162688.tif 000015
【図１２】
2006162688.tif 000016
【図１３】
2006162688.tif 000017
【図１４】
2006162688.tif 000018
【図１５】
2006162688.tif 000019
【図１６】
2006162688.tif 000020
【図１７】
2006162688.tif 000021
【図１８】
2006162688.tif 000022
【図１９】
2006162688.tif 000023
【図２０】
2006162688.tif 000024
【図２１】
2006162688.tif 000025
【図２２】
2006162688.tif 000026
【図２３】
2006162688.tif 000027
【図２４】
2006162688.tif 000028
【図２５】
2006162688.tif 000029
【図２６】
2006162688.tif 000030
【図２７】
2006162688.tif 000031
【図２８】
2006162688.tif 000032
【図２９】
2006162688.tif 000033
【図３０】
2006162688.tif 000034
【図３１】
2006162688.tif 000035
【図３２】
2006162688.tif 000036
【図３３】
2006162688.tif 000037
【図３４】
2006162688.tif 000038
【図３５】
2006162688.tif 000039
【図３６】
2006162688.tif 000040